(57)【特許請求の範囲】
【請求項１】
構造物の屋内側と屋外側とを連通する開口部の幅方向に対向して設けられた一対の受け部材に保持部材を介して取り付けられ、前記開口部よりも屋外側で床面から立設する止水板であって、
前記開口部を閉塞する閉塞部と、
前記閉塞部の下端部に位置し前記幅方向に沿って延びると共に前記閉塞部から前記屋外側に突出して前記床面上に配設される床面上配設部と、
前記閉塞部の幅方向の両端部に設けられ、前記保持部材に保持される被保持部と、
前記被保持部と前記保持部材との間に設けられる第１の止水ゴムと、
前記床面上配設部の下面に設けられる第２の止水ゴムと、
を備えることを特徴とする止水板。
【請求項２】
前記床面上配設部の上面は、前記屋外側に向かうにしたがって徐々に前記床面に近づく方向に傾斜している
ことを特徴とする請求項１記載の止水板。
【請求項３】
前記請求項１または２に記載された止水板
を備えることを特徴とする開口部の防水装置。
【発明の詳細な説明】
【技術分野】
【０００１】
本発明は、止水板及び止水板を備える開口部の防水装置に関する。
【背景技術】
【０００２】
従来、豪雨、津波、河川の氾濫などの水害時に、外部である屋外からの水は、構造物の開口部から内部である構造物内（屋内）に侵入するため、構造物の開口部に防水機構が設けられている。防水機構としては、開口部の通常使用時には他の場所に保管されている防水板を、水害時に構造物内に水が侵入する虞がある場合に、作業員が開口部に設置して、開口部の底面から所定の高さまでを塞ぐものがある。また、開口部に開閉装置が備えられている場合、開閉体の下端部に防水板を設け、開口部を塞ぐように防水板を床に設置することで、防水板により出入口の底面から所定の高さまでを塞ぐものがある（特許文献１参照）。
【先行技術文献】
【特許文献】
【０００３】
【特許文献１】実公平５−２２６３０号公報
【発明の概要】
【発明が解決しようとする課題】
【０００４】
前述した特許文献１に示された技術は、開口部からの水の浸入を抑制することができることが望まれている。
【０００５】
本発明の目的は、開口部からの水の浸入を抑制することができる止水板及び止水板を備える開口部の防水装置を提供することである。
【課題を解決するための手段】
【０００６】
本発明の止水板は、構造物の屋内側と屋外側とを連通する開口部の幅方向に対向して設けられた一対の受け部材に保持部材を介して取り付けられ、前記開口部よりも屋外側で床面から立設する止水板であって、前記開口部を閉塞する閉塞部と、前記閉塞部の下端部に位置し前記幅方向に沿って延びると共に前記閉塞部から前記屋外側に突出して前記床面上に配設される床面上配設部と、前記閉塞部の幅方向の両端部に設けられ、前記保持部材に保持される被保持部と、前記被保持部と前記保持部材との間に設けられる第１の止水ゴムと、前記床面上配設部の下面に設けられる第２の止水ゴムと、を備えることを特徴とする。
【０００７】
上記止水板では、閉塞部の下端部に屋外側に突出して床面上に配設される床面上配設部を備えているので、屋外側の水からの水圧により床面上配設部が床面に押し付けられる。したがって、止水板は、開口部からの水の浸入を抑制することができる。
【０００８】
上記止水板において、前記床面上配設部の上面は、前記屋外側に向かうにしたがって徐々に前記床面に近づく方向に傾斜していることが好ましい。
【０００９】
上記止水板では、床面上配設部の上面が屋外側に向かうにしたがって床面に近づく方向に傾斜しているので、屋外側の水からの水圧により床面上配設部が床面に押し付けられるとともに開口部に密着する方向に押し付けられる。したがって、止水板は、開口部からの水の浸入を抑制することができる。
【００１０】
本発明の開口部の防水装置は、上記止水板を備えていることを特徴とする。
【００１１】
上記開口部の防水装置では、上記止水板を備えているので、開口部からの水の浸入を抑制することができる。
【発明の効果】
【００１２】
本発明に係る止水板及び止水板を備える開口部の防水装置は、開口部からの水の浸入を抑制することができるという効果を奏する。
【図面の簡単な説明】
【００１３】
【図１】図１は、実施形態に係る開口部の防水装置を示す斜視図である。
【図２】図２は、実施形態に係る開口部の防水装置により防水される開口部などを示す斜視図である。
【図３】図３は、実施形態に係る開口部の防水装置の止水板の要部の断面図である。
【図４】図４は、図１に示された開口部の防水装置の側断面図である。
【図５】図５は、実施形態の変形例１に係る開口部の防水装置を示す斜視図である。
【図６】図６は、実施形態の変形例２に係る開口部の防水装置の側断面図である。
【図７】図７は、実施形態の変形例３に係る開口部の防水装置を示す斜視図である。
【発明を実施するための形態】
【００１４】
以下に、本発明の実施形態に係る止水板及び止水板を備える開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１５】
［実施形態］
図１から図４を参照して、実施形態について説明する。実施形態は、構造物の開口部を防水する開口部の防水装置に関する。図１は、実施形態に係る開口部の防水装置を示す斜視図、図２は、実施形態に係る開口部の防水装置により防水される開口部などを示す斜視図、図３は、実施形態に係る開口部の防水装置の止水板の要部の断面図、図４は、図１に示された開口部の防水装置の側断面図である。
【００１６】
建物等の構造物の外部開口部には、開閉体としてのシャッターや開閉扉が付けられることが多い。例えば、洪水時などに浸水しやすい地下駐車場の入口や、浸水すると商品が毀損されやすい店舗の入口等にもシャッターや開閉扉が付けられていることが多い。シャッターは、隙間が多い構造であるため、ゲリラ豪雨や洪水時にはシャッターの隙間を介した浸水によってこれらの施設が被害に遭う可能性がある。また、開閉扉には、扉間及び各扉と開口部との間に隙間があるために、ゲリラ豪雨や洪水時には隙間を介した浸水によって店舗等の施設が被害に遭う可能性がある。
【００１７】
実施形態に係る開口部の防水装置１は、開閉体としてのシャッターや開閉扉の前に止水板１０を設置して、止水することを可能とする。よって、実施形態の開口部の防水装置１によれば、水害による建物内部の被害を軽減することができる。
【００１８】
図１に示す開口部の防水装置１は、構造物Ｓの開口部Ｏ（図２に示す）を閉塞し、屋外側から屋内側への水の浸入を抑制するものである。構造物Ｓは、例えば、工場、倉庫、車庫、店舗、家屋等の建築構造物であり、開口部Ｏを有している。開口部Ｏは、構造物Ｓのガラスなどの透明又は半透明の材料で構成された壁部３等に形成されており、構造物Ｓの屋外側と屋内側とを連通している。本実施形態では、開口部Ｏは、アルミニウム合金で構成されかつ壁部３よりも厚い縦方立３ａなどにより囲まれている。縦方立３ａは、開口部Ｏの幅方向に対向して一対設けられた受け部材をなしている。また、本実施形態では、壁部３の下端部には、図１及び図２に示すように、壁部３よりも厚い幅木６が設けられている。
【００１９】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに開口部の防水装置１を、例えば単なる道路の防水用仕切りとして使用したり、外部空間における門等の箇所に取り付ける等のように、家屋や部屋等の概念がない箇所に設けても良い。また、開口部Ｏは、前述の屋外側と屋内側とを連通するものとすることができる。本実施形態の開口部Ｏは、構造物Ｓの外殻をなす壁部３に形成されており、壁部３を貫通して構造物Ｓの屋外と屋内とを連通している。なお、これに限らず、開口部Ｏは、構造物Ｓの内部を仕切る壁部に形成されたものであってもよい。また、壁部３は、予め十分な止水性を有するものが好ましいが、例えば、嵌め殺しサッシ、塀などの許容できる範囲内で水漏れするもの、又は、別途止水性を付加（例えば、土嚢の設置や公知の水密処理など）して止水性を発揮するものでもよい。
【００２０】
前述した開口部Ｏには、当該開口部Ｏを開閉する開閉体としての開閉扉４が設けられている。開閉扉４は、図２に示すように、開閉方向、本実施形態では左右水平方向に移動する扉５を一対備えている。
【００２１】
開閉扉４の一対の扉５は、図示しないガイドレールによって案内される。ガイドレールは、開口部Ｏの上下両端に設けられ、壁部３の表面と平行である。扉５の上下方向の両端部は、それぞれガイドレールの溝部に挿入されている。溝部は、開閉方向即ち左右水平方向に延在しており、扉５を開閉方向、即ち、左右方向に移動自在に案内する。扉５の幅方向の両端には、扉側縦方立５ａが設けられ、扉５の下端部には、扉側幅木５ｂが設けられている。扉側縦方立５ａの厚みと扉側幅木５ｂの厚みはほぼ等しい。なお、本発明でいう床面とは、説明上分かりやすくするための便宜上の表現であって、通常の床面７のみならず、コンクリート面や地面等の開口部Ｏの下方に位置する面を総称する。
【００２２】
開閉扉４は、一対の扉５が互いに近付いて開口部Ｏを閉塞し、一対の扉５が互いに離間して開口部Ｏを開放する。扉５の移動は、手動でなされても、モータ等の駆動装置によって自動でなされてもよい。本実施形態の開閉扉４は、一対の扉５、ガイドレールなどを有する。
【００２３】
図１に戻り、開口部の防水装置（以下、防水装置と呼ぶ）１は、止水板１０などを備える。止水板１０は、図３に示すように、内部に多数の空隙としての気泡が設けられかつ平板状に形成された発泡材料５１ａと、発泡材料５１ａの両表面に取り付けられた板材５１ｂとを備える。発泡材料５１ａは、合成樹脂に周知の発泡材を混入させて分散させた後、発泡成形されて、内部に多数の気泡が形成される。発泡材料５１ａは、多数の気泡が設けられているので、軽量化されている。また、本発明では、軽量部材として、発泡材料５１ａの他に、金属や紙などの種々の材料で構成されて多数の空隙が形成されたハニカム材料を用いてもよい。板材５１ｂは、アルミニウム合金などの金属やプラスチックなどの合成樹脂で構成されている。板材５１ｂは、発泡材料５１ａよりも薄い平板状に形成されている。
【００２４】
止水板１０は、図１に示すように、開口部Ｏの正面からみて平面形状が矩形状に形成されている。止水板１０は、縦方立３ａに取り付けられる保持部材２０に両端部１０ａが保持されて、両端部１０ａが縦方立３ａそれぞれに取り付けられて（当接して）、開口部Ｏよりも屋外側で床面７から立設する。保持部材２０は、乾式シール材等によって止水性を確保しつつ縦方立３ａに取り付けられると、床面７から上方に鉛直方向に延在する。保持部材２０は、断面形状がコの字状に形成されて、止水板１０の両端部１０ａに設けられた被保持部１２が内側に挿入されることで、止水板１０の両端部１０ａを縦方立３ａに取り付ける。
【００２５】
止水板１０は、図１等に示すように、閉塞部１１と、被保持部１２と、床面上配設部１３と、両脇部１４とを一体に備えている。閉塞部１１は、止水板１０の両端部１０ａが保持部材２０に保持されて縦方立３ａに取り付けられると、一対の縦方立３ａ間の開口部Ｏを閉塞する。閉塞部１１は、開口部Ｏの正面からみて矩形状に形成されて、開口部Ｏの幅Ｗよりも若干大きく形成されている。被保持部１２は、開口部Ｏを閉塞する状態の閉塞部１１の幅方向の両端部に設けられている。被保持部１２は、閉塞部１１の両端部１０ａから縦方立３ａに向かって凸に形成されている。被保持部１２は、保持部材２０内の内側に挿入されることで、保持部材２０即ち縦方立３ａに取り付けられる。
【００２６】
床面上配設部１３は、開口部Ｏを閉塞する状態の閉塞部１１の下端部に連なりかつ閉塞部１１よりも屋外側に突出して床面７上に配設される。両脇部１４は、開口部Ｏを閉塞する状態の閉塞部１１の両端部に連なり閉塞部１１よりも屋外側に突出している。両脇部１４の閉塞部１１からの突出量は、床面上配設部１３の閉塞部１１からの突出量Ｐと等しく形成されている。床面上配設部１３の閉塞部１１からの突出量Ｐは、閉塞部１１の厚みＴの５０％以上でかつ１５０％以下に形成されている。また、床面上配設部１３と閉塞部１１のなす角度は、縦方立３ａと床面７とのなす角度に応じて適宜変更してもよい。
【００２７】
床面上配設部１３の下面には、床面７に密着して床面７との間を止水する止水ゴム３０が設けられ、被保持部１２の外面には、保持部材２０の内面に密着して保持部材２０との間即ち縦方立３ａとの間を止水する止水ゴム４０が設けられている。
【００２８】
なお、止水板１０の厚みＴは、後述する水圧に耐えることができる厚みに設定されている。また、止水板１０の床面７からの高さは、人が跨げる程度であることが望ましく、例えば、１６（建築基準法施行令に定められた小学校の児童の階段の蹴上げ寸法の上限）ｃｍから３８（ＪＩＳ（日本工業規格）  Ｓ  １０２１における身長１５０ｃｍの人の教室用椅子４号の座面の高さ）ｃｍ程度であるのが望ましい。また、止水板１０の床面７からの高さは、止水高さの要望次第では椅子などを台にして跨ぐことを前提に１ｍ程度まででもよく、脚立などを使って渡ることを前提に１．５ｍ程度まででもよい。
【００２９】
次に、防水装置１の設置について説明する。防水装置１は、上述のように、保持部材２０が縦方立３ａに着脱可能であるため、開閉扉４の通常使用時は、別の場所に保管されている。
【００３０】
まず、作業員は、保管されている防水装置１を開閉扉４まで運搬する。次に、作業員は、縦方立３ａそれぞれに保持部材２０を取り付ける。この際、保持部材２０を床面７に密着させる。次に、作業員は、床面上配設部１３を下方に位置付けて、止水板１０の被保持部１２を保持部材２０に保持させ、止水ゴム３０を床面７に密着させる。こうして、作業員は、防水装置１を設置する。
【００３１】
次に、設置時の防水装置１が水圧を受けた場合について説明する。設置時の防水装置１は、図４に示すように、止水板１０が水圧を受ける側、即ち屋外側に開口部Ｏよりも突出している。この状態で、構造物Ｓの屋外側から水が開口部Ｏに向かって流れ込もうとすると、防水装置１の止水板１０により開口部Ｏが閉塞されているため、防水装置１に対する水位が上昇し、防水装置１が受ける水圧Ｓ１，Ｓ２（図４中に矢印で示す）が増加する。そして、止水板１０の閉塞部１１には、開口部Ｏを通して屋内側に向かう水圧Ｓ１が作用し、床面上配設部１３には、床面７に向かう水圧Ｓ２が作用する。
【００３２】
すると、止水板１０の被保持部１２に取り付けられた止水ゴム４０が保持部材２０即ち縦方立３ａに密着して、保持部材２０即ち縦方立３ａとの間を止水する。また、床面上配設部１３の下面に取り付けられた止水ゴム３０が床面７に密着して、床面７との間を止水する。
【００３３】
以上のことから、実施形態に係る防水装置１は、閉塞部１１の下端部に屋外側に突出して床面７上に配設される床面上配設部１３を備えているので、屋外側の水からの水圧により床面上配設部１３が床面７に押し付けられる。さらに、止水板１０が開口部Ｏよりも屋外側で床面７から立設して開口部Ｏを塞ぐので、止水板１０に水圧Ｓ１，Ｓ２が作用すると閉塞部１１が縦方立３ａに押し付けられる。したがって、開口部Ｏからの屋内側への水の浸入を抑制することができる。
【００３４】
また、防水装置１は、止水板１０の両端部１０ａが縦方立３ａに取り付けられているので、開口部Ｏに設置された後も、開閉扉４を開閉することができ、開口部Ｏから出入りすることができる。
【００３５】
防水装置１は、止水板１０の床面上配設部１３の突出量Ｐが閉塞部１１の厚みＴの５０％以上でかつ１５０％以下であるので、屋外側の水からの水圧により床面上配設部１３が床面７に押し付けられ、開口部Ｏを止水することができる。
【００３６】
防水装置１では、止水板１０が板材５１ｂ間に発泡材料５１ａを設けているので、板材５１ｂ間の間隔を確保して、止水板１０自体の強度を確保することができる。また、板材５１ｂ間に設けられた発泡材料５１ａは多数の空隙が設けられているので、発泡材料５１ａ、即ち、止水板１０の軽量化を図ることができる。したがって、止水板１０の軽量化と強度の確保との両立を図ることができる。
【００３７】
［変形例１］
図５を参照して、実施形態の変形例１について説明する。図５は、実施形態の変形例１に係る開口部の防水装置を示す斜視図である。なお、図５において、実施形態と同一部分には、同一符号を付して説明を省略する。
【００３８】
実施形態の変形例１に係る防水装置１−１では、図５に示すように、止水板１０が、閉塞部１１と、被保持部１２と、床面上配設置部１３とを備えて、両脇部１４を備えていない。変形例１に係る防水装置１−１の止水板１０は、実施形態と同様の床面上配設部１３を備えているので、水の浸入を抑制する際に床面７に密着することができ、開口部Ｏからの屋内側への水の浸入を抑制することができる。
【００３９】
［変形例２］
図６を参照して、実施形態の変形例２について説明する。図６は、実施形態の変形例２に係る開口部の防水装置の側断面図である。なお、図６において、実施形態と同一部分には、同一符号を付して説明を省略する。
【００４０】
実施形態の変形例２に係る防水装置１−２では、図６に示すように、床面上配設部１３の上面１３ａは、屋外側に向かうにしたがって徐々に床面７に近づく方向に傾斜している。変形例２に係る防水装置１−２では、両脇部１４を備えていてもよく、備えていなくてもよい。
【００４１】
変形例２に係る防水装置１−２では、屋外側の水位が上昇すると、止水板１０の閉塞部１１には、開口部Ｏを通して屋内側に向かう水圧Ｓ１が作用する。また、止水板１０の床面上配設部１３には、上面１３ａに直交する方向に沿って、床面７に向かうとともに屋内側に向かう水圧Ｓ２−２が作用する。
【００４２】
変形例２に係る防水装置１−２の止水板１０は、実施形態と同様の床面上配設部１３を備えているので、水の浸入を抑制する際に床面７に密着することができ、開口部Ｏからの屋内側への水の浸入を抑制することができる。さらに、防水装置１−２の止水板１０は、床面上配設部１３の上面１３ａが屋外側に向かうにしたがって徐々に床面７に近づく方向に傾斜しているので、屋外側の水からの水圧Ｓ２−２により床面上配設部１３が床面７に押し付けられるとともに開口部Ｏに密着する方向に押し付けられる。したがって、止水板１０に水圧Ｓ１，Ｓ２−２が作用すると閉塞部１１が縦方立３ａに押し付けられる。よって、止水板１０は、開口部Ｏからの屋内側への水の浸入を抑制することができる。
【００４３】
［変形例３］
図７を参照して、実施形態の変形例３について説明する。図７は、実施形態の変形例３に係る開口部の防水装置を示す斜視図である。なお、図７において、実施形態と同一部分には、同一符号を付して説明を省略する。
【００４４】
実施形態の変形例３に係る防水装置１−３では、止水板１０は、図７に示すように、閉塞部１１と両脇部１４と床面上配設部１３とが別体に構成されている。閉塞部１１は、被保持部１２と一体に構成されている。閉塞部１１と両脇部１４及び閉塞部１１と床面上配設部１３とには、互いに着脱自在とする係合突起や係合凹部が設けられている。
【００４５】
実施形態の変形例３に係る防水装置１−３は、実施形態の効果にくわえ、止水板１０を閉塞部１１と両脇部１４と床面上配設部１３とに分解できるので、保管時にかかるスペースを抑制できる。
【００４６】
実施形態及び変形例１〜変形例３では、開閉体として開閉扉４を示しているが、本発明では、開閉体として、複数のスラットを開閉方向に連接して形成されて昇降動作などの移動することで開口部Ｏを開閉するシャッターカーテンを用いても良い。また、本発明では、開閉体として、片開き引戸、引き違い引戸、屋内側に回動する開き戸、引き戸と開き戸からなる親子扉、カーテン部に潜り戸を設けたシャッター、袖扉を有しその袖扉と一緒に開口部Ｏを閉鎖するシャッター、格子状の門扉であってもよい。さらに、本発明では、開閉体は、防水装置１を設置している間常時出入り可能に開けたままとするものでもよいし、状況に応じて開閉するものでもよい。
【００４７】
上記の実施形態及び変形例１〜変形例３に開示された内容は、適宜組み合わせて実施することができる。
【符号の説明】
【００４８】
１，１−１，１−２，１−３  開口部の防水装置
３ａ  縦方立（受け部材）
４  開閉扉（開閉体）
７  床面
１０  止水板
１１  閉塞部
１３  床面上配設部
１３ａ  上面
Ｏ  開口部
Ｓ  構造物
【図１】
0006399870.tif 000002
【図２】
0006399870.tif 000003
【図３】
0006399870.tif 000004
【図４】
0006399870.tif 000005
【図５】
0006399870.tif 000006
【図６】
0006399870.tif 000007
【図７】
0006399870.tif 000008